(57)【要約】【課題】本発明は、接合精度を向上させることができる抵抗器を提供することを目的とするものである。【解決手段】本発明の抵抗器は、金属板で構成した抵抗体１１と、前記抵抗体１１の両端面１１ａに接合された一対の電極１２とを有し、前記抵抗体１１の端面１１ａと前記一対の電極１２の端面１２ａは互いに突き合わせた状態で接合され、前記抵抗体１１の両端部１１ｂに抵抗器の長手方向に突出する突出部１３を備え、前記一対の電極１２に前記突出部１３と嵌合する凹み部１４を備え、前記突出部１３は前記抵抗体１１から遠ざかるに従ってその幅が広くなり、前記凹み部１４は前記一対の電極１２の前記端部１２ｂ側に向かうに従ってその幅が狭くなるようにしたものである。【選択図】図１
2017098473.tif 000002
【特許請求の範囲】
【請求項１】
金属板で構成した抵抗体と、前記抵抗体の両端面に接合された一対の電極とを有し、前記抵抗体の端面と前記一対の電極の端面は互いに突き合わせた状態で接合され、前記抵抗体の両端部に抵抗器の長手方向に突出する突出部を備え、前記一対の電極に前記突出部と嵌合する凹み部を備え、前記突出部は前記抵抗体から遠ざかるに従ってその幅が広くなり、前記凹み部は前記一対の電極の前記端部側に向かうに従ってその幅が狭くなるようにした抵抗器。
【請求項２】
金属板で構成した抵抗体と、前記抵抗体の両端面に接合された一対の電極とを有し、前記抵抗体の端面と前記一対の電極の端面は互いに突き合わせた状態で接合され、前記一対の電極に抵抗器の長手方向に突出する突出部を備え、前記抵抗体の両端部に前記突出部と嵌合する凹み部を備え、前記突出部は前記一対の電極から遠ざかるに従ってその幅が広くなり、前記凹み部は前記抵抗体の前記端部側に向かうに従ってその幅が狭くなるようにした抵抗器。
【発明の詳細な説明】
【技術分野】
【０００１】
本発明は、各種電子機器の電流値検出等に使用される抵抗器に関するものである。
【背景技術】
【０００２】
従来のこの種の抵抗器は、図４、図５に示すように、金属板で構成された抵抗体１と、抵抗体１の両端部にレーザで接合された一対の電極２とを備え、抵抗体１と一対の電極２とは、その端面同士を突き合わせて接合されていた。
【０００３】
なお、この出願の発明に関する先行技術文献情報としては、例えば、特許文献１が知られている。
【先行技術文献】
【特許文献】
【０００４】
【特許文献１】特開平８−２３６３２４号公報
【発明の概要】
【発明が解決しようとする課題】
【０００５】
上記した従来の抵抗器においては、抵抗体１と一対の電極２の両方を支持した状態で接合する必要があるため、抵抗体１と一対の電極２とが位置ずれを起こし易くなり、これにより、接合精度が悪化する可能性があるという課題を有していた。
【０００６】
本発明は、上記した従来の課題を解決するもので、接合精度を向上させることができる抵抗器を提供することを目的とするものである。
【課題を解決するための手段】
【０００７】
上記目的を達成するために、本発明は、金属板で構成した抵抗体と、前記抵抗体の両端面に接合された一対の電極とを有し、前記抵抗体の端面と前記一対の電極の端面は互いに突き合わせた状態で接合され、前記抵抗体の両端部に抵抗器の長手方向に突出する突出部を備え、前記一対の電極に前記突出部と嵌合する凹み部を備え、前記突出部は前記抵抗体から遠ざかるに従ってその幅が広くなり、前記凹み部は前記一対の電極の前記端部側に向かうに従ってその幅が狭くなるようにした。
【発明の効果】
【０００８】
本発明の抵抗器は、抵抗体の突出部と一対の電極の凹み部を嵌合させることによって、仮止めすることができ、これにより、支持しなくても抵抗体と一対の電極とが位置ずれを起こし難くなるため、接合精度を向上させることができるという優れた効果を奏するものである。
【図面の簡単な説明】
【０００９】
【図１】本発明の一実施の形態における抵抗器の上面図
【図２】同抵抗器の断面図
【図３】同抵抗器の製造方法を示す上面図
【図４】従来の抵抗器の上面図
【図５】同抵抗器の断面図
【発明を実施するための形態】
【００１０】
以下、本発明の一実施の形態における抵抗器について図面を参照しながら説明する。
【００１１】
図１は本発明の一実施の形態における抵抗器の上面図、図２は同抵抗器の断面図である。
【００１２】
本発明の一実施の形態における抵抗器は、図１、図２に示すように、金属板で構成された抵抗体１１と、抵抗体１１の両端面１１ａに接合された一対の電極１２とを有している。また、抵抗体１１と一対の電極１２とは、抵抗体１１の端面１１ａと一対の電極１２の端面１２ａを互いに突き合わせた状態で接合されている。
【００１３】
さらに、抵抗体１１の両端部１１ｂに抵抗器の長手方向に突出する突出部１３を設け、一対の電極１２の端部１２ｂに突出部１３と嵌合する凹み部１４を設け、突出部１３は抵抗体１１から遠ざかるに従ってその幅が広くなり、凹み部１４は一対の電極１２の端部１２ｂ側（外側）に向かうに従ってその幅が狭くなるようになっている。
【００１４】
そして、少なくとも抵抗体１１の下面１１ｃ、上面１１ｄには保護膜１５が形成され、一対の電極１２の少なくとも下面１２ｃに実装用のめっき層（以下、図示せず）が形成されている。なお、図１では説明を簡単にするために保護膜１５、めっき層は省略している。
【００１５】
上記構成において、前記抵抗体１１は、ニクロム、銅ニッケル、マンガニン等からなる金属板で構成されている。
【００１６】
この抵抗体１１の両端部１１ｂには突出部１３が設けられている。突出部１３は、抵抗器の長手方向、すなわち、抵抗体１１の電流が流れる方向（図１のＸ方向）に突出する。その形状は、抵抗体１１の側面側に広がった凸部１７を形成することによって、抵抗体１１から遠ざかるに従ってその幅が広くなるようになっている。
【００１７】
なお、抵抗体１１の長さａに対する突出部１３の突出寸法ｂは１／５〜１／２とするのが好ましい。また、突出部１３の幅が最も狭い根元部分の寸法ｃに対する幅が最も広い先端部分の寸法ｄは１.０５〜１．２倍とするのが好ましい。
【００１８】
そして、抵抗体１１には、必要に応じて抵抗値調整用のトリミング溝を形成してもよい。
【００１９】
また、前記一対の電極１２は、抵抗体１１とは別体の金属板で形成され、前記抵抗体１１より導電率の低い銅等の金属で構成されている。
【００２０】
さらに、この一対の電極１２の端部１２ｂには凹み部１４が設けられている。凹み部１４は、抵抗体１１の電流が流れる方向に凹んでいる。そして、凹み部１４は一対の電極１２の端部１２ｂ側に向かうに従ってその幅が狭くなっている。上面から見たときの突出部１３の形状と凹み部１４の形状、寸法は同一で、互いに勘合するように接合している。
【００２１】
そしてまた、抵抗体１１の端面１１ａと一対の電極１２の端面１２ａが互いに向かい合うように突き合わせた状態で接触させ、レーザ溶接またはろう付けによって接合されている。
【００２２】
ここで、抵抗体１１の端面１１ａというのは、端部１１ｂにおける下面１１ｃと上面１１ｄの間の長手方向と直角の面をいう。一対の電極１２の端面１２ａについても、端部１２ｂにおける下面１２ｃと上面１２ｄの間の長手方向と直角の面をいう。
【００２３】
したがって、突出部１３と凹み部１４との接合部において、抵抗体１１の端面１１ａと一対の電極１２の端面１２ａが接合している。
【００２４】
なお、突出部１３と凹み部１４を複数形成してもよい。
【００２５】
そして、前記保護層１５は、エポキシ樹脂、ポリイミド樹脂等の絶縁材からなり、抵抗体１１の下面１１ｃと上面１１ｄに形成されているものである。なお、保護層１５は無くてもよい。
【００２６】
そしてまた、前記めっき層は、保護層１５から露出する一対の電極１２の少なくとも下面１２ｃに、電気めっき又はディップにてすずめっきが施されることによってが形成されているもので、なお、このめっき層と一対の電極１２との間には必要に応じてニッケルめっき、銅めっき、金めっきを形成してもよい。さらに、実装用基板に一対の電極１２を溶接して実装してもよい。
【００２７】
次に、本発明の一実施の形態における抵抗器の製造方法について、図面を用いて説明する。
【００２８】
まず、抵抗体１１となるニクロム、銅ニッケル、マンガニン等からなる平板状の金属と、一対の電極１２となる、抵抗体１１とは別体で、抵抗体１１より導電率の低い銅等からなる平板状の金属を用意する。
【００２９】
次に、図３に示すように、抵抗体１１となる金属に、パンチング等によって、その両端部１１ｂに抵抗器の長手方向に突出する突出部１３を設けるとともに、一対の電極１２となる金属の端部１２ｂに突出部１３と嵌合する凹み部１４を設ける。このとき、突出部１３には抵抗体１１から遠ざかるに従ってその幅が広くなるように凸部１７を設け、凹み部１４は一対の電極１２の端部１２ｂ側に向かうに従ってその幅が狭くなるようにする。
【００３０】
次に、図１、図２に示すように、抵抗体１１の端面１１ａと一対の電極１２の端面１２ａが互いに向かい合うように突き合わせた状態で、突出部１３と凹み部１４を嵌合して、抵抗体１１と一対の電極１２とを仮止めする。
【００３１】
このとき、凸部１７の存在によって、抵抗体１１と一対の電極１２とを引き離す応力に対して強くなるため、仮止めした状態において、保持しなくても抵抗体１１と一対の電極１２とが位置ずれを起こし難くなる。
【００３２】
次に、抵抗体１１と一対の電極１２との接触部にレーザ照射やろう付けすることによって、抵抗体１１と一対の電極１２とを接合する。
【００３３】
次に、必要に応じて抵抗値調整をした後、抵抗体１１の下面１１ｃと上面１１ｄに保護層１５を形成し、一対の電極１２の少なくとも下面１２ｃに、めっき層を形成する。
【００３４】
上記した本発明の一実施の形態における抵抗器においては、抵抗体１１の突出部１３と一対の電極１２の凹み部１４を嵌合させることによって、仮止めすることができ、これにより、抵抗体１１と一対の電極１２を保持しなくても抵抗体１１と一対の電極１２とが位置ずれを起こし難くなるため、接合後の接合強度が弱くなったり、互いに斜め方向に接合されたりといった不具合を防止でき、この結果、接合精度を向上させることができるという効果が得られるものである。
【００３５】
また、このような抵抗器は、抵抗値が低いことが要求されるが、本発明では、突出部１３とのその凸部１７や凹み部１４によって、抵抗体１１の一対の電極１２との接触面積が広がるようにしているため、接触抵抗を小さくすることができ、これにより、低い抵抗値の実現が可能である。
【００３６】
なお、上記の説明では、突出１３部を抵抗体１１の両端部１１ｂに形成し、凹み部１４を一対の電極１２に形成したが、突出１３部を一対の電極１２に形成し、凹み部１４を抵抗体１１の両端部１１ｂに形成してもよい。
【産業上の利用可能性】
【００３７】
本発明に係る抵抗器は、接合精度を向上させることができるという効果を有するものであり、特に各種電子機器の電流値検出等に使用される抵抗器等において有用となるものである。
【符号の説明】
【００３８】
１１    抵抗体
１１ａ    抵抗体の端面
１１ｂ    抵抗体の端部
１２    一対の電極
１２ａ    一対の電極の端面
１２ｂ    一対の電極の端部
１３    突出部
１４    凹み部
【図１】
2017098473.tif 000003
【図２】
2017098473.tif 000004
【図３】
2017098473.tif 000005
【図４】
2017098473.tif 000006
【図５】
2017098473.tif 000007